(57)【特許請求の範囲】
【請求項１】
都市ガス，プロパンガス，不完全燃焼ガス，熱，煙を含むガス漏れ、ガス機器の不完全燃焼、火災の検知を行ない、所定のレベルに達したときに警報を発する複合型警報器において、
警報信号を有電圧で外部に出力する信号出力線に短絡保護検出回路を介して外部機器を接続するとともに、この外部機器には前記短絡保護検出回路を動作させるための接点回路を設け、かつ、前記短絡保護検出回路に対してはその短絡検知手段と、この短絡検知手段にて検知された信号を認識する短絡保護動作検知手段と、前記認識結果に応じて、有電圧で外部に出力する警報信号を、少なくとも２種類の電圧レベルの有電圧のパルス信号出力として外部へ出力する電圧切換スイッチとを設け、前記外部機器からの信号入力と外部機器への有電圧でのパルス信号出力とを可能にしたことを特徴とする複合型警報器。
【請求項２】
警報ランプの点灯／消灯の情報をパルス信号にて発信可能にしたことを特徴とする請求項１に記載の複合型警報器。
【請求項３】
予め内蔵しているリードスイッチを介して外部機器からの信号を受信可能にしたことを特徴とする請求項１または２に記載の複合型警報器。
【請求項４】
都市ガス，プロパンガス，不完全燃焼ガス，熱，煙を含むガス漏れ、ガス機器の不完全燃焼、火災の検知を行ない、所定のレベルに達したときに警報を発するとともに、警報信号を有電圧で外部に出力する信号出力線を有する複合型警報器と、この信号出力線に短絡保護検出回路を介して接続される外部機器とからなる複合型警報器システムにおいて、
前記外部機器には前記短絡保護検出回路を動作させるための接点回路を設け、かつ、前記短絡保護検出回路に対してはその短絡検知手段と、この短絡検知手段にて検知された信号を認識する短絡保護動作検知手段と、前記認識結果に応じて、有電圧で外部に出力する警報信号を、少なくとも２種類の電圧レベルの有電圧のパルス信号出力として外部へ出力する電圧切換スイッチとを設け、前記外部機器からの信号入力と外部機器への有電圧でのパルス信号出力とを可能にしたことを特徴とする複合型警報器システム。
【請求項５】
前記外部機器をパソコンとし、アダプタを介して複合型警報器に接続することを特徴とする請求項４に記載の複合型警報器システム。
【請求項６】
前記アダプタは、リードスイッチに対して磁気を用いてパルス信号を入力する手段と、警報ランプの点灯／消灯を読み取る読取手段を有することを特徴とする請求項５に記載の複合型警報器システム。
【発明の詳細な説明】
【０００１】
【発明の属する技術分野】
この発明は、都市ガス，プロパンガス，不完全燃焼ガス，熱，煙を含むガス漏れ、ガス機器の不完全燃焼，火災の検知を行ない、所定のレベルに達したときに警報を発する複合型警報器、この複合型警報器とこれに接続される外部機器とからなる複合型警報器システムに関する。
【０００２】
【従来の技術】
現在、都市ガス，プロパンガスを含むガス機器のガス漏れ，不完全燃焼ガスに対する保安機器としてガス漏れ警報器の開発，製品化が進められている。また、最近ではガス漏れ，不完全燃焼，火災等を１台の警報器で全て検出できる複合型警報器の製品開発が盛んである。
例えば、以下のようなものがある。
１）他電気機器と警報器の警報音の識別のため、音声発生機能を付加した警報器
２）不揮発性メモリの普及により、警報器の警報履歴や警報器の通電時間等ＲＡＳ（Ｒｅｌｉａｂｉｌｉｔｙ  Ａｖａｉｌａｂｉｌｉｔｙ  Ｓｅｒｖｉｃｅａｂｉｌｉｔｙ：信頼性，可用性，保守容易性）機能を付加した警報器
３）電話回線を使用して、センターと住宅情報盤等の警報器用外部機器とを接続し、警報器やマイコンメータ等の状況をセンターで監視できる住宅情報盤
【０００３】
警報器は従来より、警報器の状態を住宅情報盤等の外部機器に知らせるため、有電圧の出力を発信する機能がある。従来の警報器の有電圧出力機能は、０Ｖ時警報器異常（警報器電源抜け），６Ｖ時警報器正常動作（監視時），１２Ｖ時ガス漏れ発報（ガス漏れ検出時），１８Ｖ時不完全燃焼発報（不完全燃焼検出時）の有電圧出力を電圧切換スイッチで行なっており、外部接続機器に警報器の状態が分かるようになっている。警報器の有電圧出力回路には通常、外部接続機器との誤配線等により短絡されたときに備えて、警報器の出力回路を保護するための過電流保護機能（短絡保護回路）が付加されている。
【０００４】
【発明が解決しようとする課題】
従来の警報器と外部機器との接続システムでは、警報器の有電圧出力が警報器から外部機器への一方向だけであり、警報器の状態（警報器不動作，警報器監視状態，ガス漏れ警報状態，不完全燃焼状態）のみの情報伝達しかできないと言う問題がある。
現在は高齢化社会という背景もあり、情報サービスの提供や安全の多重化等ユーザの要望も高まっており、高付加価値のある警報器の開発，製品化が望まれている。
【０００５】
また、このような製品化が進んでいるなか、警報器もガス漏れ，不完全燃焼，火災等に対応すべく機能が複合化しているため、警報器のユーザは「警報器が鳴った」という報告のみで、調査員が設置現場に行ったときには警報器が再現せず警報器がどの警報を正常に動作したのか、または動作しなかったのか分からない場合が多々発生している。
したがって、この発明の課題は、従来の機器やシステムを大幅に変えずに警報器と外部接続機器との間で双方向の通信を可能とし、より高度で安全，便利な警報器および警報器システムを提供することにある。
【０００６】
【課題を解決するための手段】
このような課題を解決するため、請求項１の発明では、都市ガス，プロパンガス，不完全燃焼ガス，熱，煙を含むガス漏れ、ガス機器の不完全燃焼、火災の検知を行ない、所定のレベルに達したときに警報を発する複合型警報器において、
都市ガス，プロパンガス，不完全燃焼ガス，熱，煙を含むガス漏れ、ガス機器の不完全燃焼、火災の検知を行ない、所定のレベルに達したときに警報を発する複合型警報器において、
警報信号を有電圧で外部に出力する信号出力線に短絡保護検出回路を介して外部機器を接続するとともに、この外部機器には前記短絡保護検出回路を動作させるための接点回路を設け、かつ、前記短絡保護検出回路に対してはその短絡検知手段と、この短絡検知手段にて検知された信号を認識する短絡保護動作検知手段と、前記認識結果に応じて、有電圧で外部に出力する警報信号を、少なくとも２種類の電圧レベルの有電圧のパルス信号出力として外部へ出力する電圧切換スイッチとを設け、前記外部機器からの信号入力と外部機器への有電圧でのパルス信号出力とを可能にしたことを特徴とする。
【０００７】
上記請求項１の発明においては、警報ランプの点灯／消灯の情報をパルス信号にて発信可能にすることができ（請求項２の発明）、これら請求項１または２の発明においては、予め内蔵しているリードスイッチを介して外部機器からの信号を受信可能にすることができる（請求項３の発明）。
【０００８】
請求項４の発明では、都市ガス，プロパンガス，不完全燃焼ガス，熱，煙を含むガス漏れ、ガス機器の不完全燃焼、火災の検知を行ない、所定のレベルに達したときに警報を発するとともに、警報信号を有電圧で外部に出力する信号出力線を有する複合型警報器と、この信号出力線に短絡保護検出回路を介して接続される外部機器とからなる複合型警報器システムにおいて、
前記外部機器には前記短絡保護検出回路を動作させるための接点回路を設け、かつ、前記短絡保護検出回路に対してはその短絡検知手段と、この短絡検知手段にて検知された信号を認識する短絡保護動作検知手段と、前記認識結果に応じて、有電圧で外部に出力する警報信号を、少なくとも２種類の電圧レベルの有電圧のパルス信号出力として外部へ出力する電圧切換スイッチとを設け、前記外部機器からの信号入力と外部機器への有電圧でのパルス信号出力とを可能にしたことを特徴とする。
【０００９】
上記請求項４の発明においては、前記外部機器をパソコンとし、アダプタを介して複合型警報器に接続することができ（請求項５の発明）、また、この請求項５の発明においては、前記アダプタは、リードスイッチに対して磁気を用いてパルス信号を入力する手段と、警報ランプの点灯／消灯を読み取る読取手段を有することができる（請求項６の発明）。
【００１０】
【発明の実施の形態】
図１はこの発明の第１の実施の形態を示すシステム構成図、図２は図１で用いられる複合型警報器（単に、警報器とも言う）を示す要部構成図である。
図１の例では、警報器１と住宅情報盤２とマイコンメータ３とを互いに連動させ、さらに住宅情報盤２とセンター５とを電話回線４を介して接続して構成している。警報器１には図２に示すように、短絡保護回路の動作検知回路（短絡検知回路または短絡保護検知回路）ＳＷ１を設け、この回路からの出力信号を警報器のマイコン制御回路１１で認識する（短絡保護回路動作検知機能）。また、住宅情報盤２はその内部の電圧検知回路と並列にスイッチ（接点回路）ＳＷ２を設け、その出力を警報器１へ入力する。マイコンメータ３と住宅情報盤２は従来通りの通信線で接続され、住宅情報盤２とセンター５とは電話回線４を介して接続される。
【００１１】
警報器１のマイコン制御回路１１は、図示されない各種ガスセンサからの検出信号を受け、その検出状態に応じて、例えば、０Ｖ時警報器異常（警報器電源抜け），６Ｖ時警報器正常動作（監視時），１２Ｖ時ガス漏れ発報（ガス漏れ検出時），１８Ｖ時不完全燃焼発報（不完全燃焼検出時）の有電圧出力を電圧切換スイッチＳＷにより行ない、外部に出力するのは従来と同様である。なお、このような有電圧出力を行なう回路としては、シリーズレギュレータ等の出力電圧可変の定電圧回路または電源を用いることができる。
【００１２】
ここで、図１に示すマイコンメータ３が地震や流量異常によりガスを遮断すると、マイコンメータ３は「ガスを遮断した」という信号を住宅情報盤２に出力する。住宅情報盤２では、そのことを警報器１に対して上記ＳＷ２により予め決められたオン／オフ信号として出力する。その結果、警報器１はマイコンメータ３がガスを止めたと認識し、例えば「マイコンメータがガスを止めました」と発報する。また、マイコンメータ３が配管正常と認識し復帰した場合には、上記と同様にして、例えば「ガスが使えます」と発報する。このように、警報器が外部機器からの信号を認識することにより、警報器が内蔵している音声発報回路で容易にメッセージ等を発報することが可能であり、ガス使用者にその時の情報を伝えることができる。
【００１３】
また、この例では、センター５から電話回線４を介して住宅情報盤２に「警報器の情報が欲しい」ことを示す指示信号を入力すると、住宅情報盤２は予め決められた「警報器の情報を出力せよ」という信号を、ＳＷ２のオン／オフにより警報器１に入力する。警報器１は内蔵されているメモリ（外部記憶としての不揮発性メモリ，マイコンのＲＡＭ等）のデータや、その時のセンサ情報等を有電圧出力６Ｖ／１２Ｖの電圧パルスとして、住宅情報盤２に情報データを出力する。住宅情報盤２は電話回線４を介し、ガス使用者から離れたところ、例えばセンター５に情報を伝達することができる。
【００１４】
このように、警報器の状態，警報したときのガス漏れ，不完全燃焼，火災の検出センサの情報から、現在のセンサの状況，警報器の通電時間等様々な情報をセンターに提供することができる。
図３に警報器−外部機器間の双方向通信例を示す。
すなわち、警報器から外部機器への出力信号が同図（ａ）、外部機器から警報器への入力信号が同図（ｂ）のように示されるとすると、警報器と外部機器間の電圧信号波形は例えば同図（ｃ）のようになることを示している。
【００１５】
したがって、例えば図１の住宅情報盤２のＳＷ２を介して図３（ｂ）のような信号が警報器１に入力されると、図２の検出回路ＳＷ１がこれを検知し、マイコン制御回路１１では図３（ｃ）のような０／６Ｖの電圧信号として認識することになる。また、警報器１からの図３（ａ）のような信号は、図３（ｃ）に示すような電圧信号として外部機器へ与えられることになる。なお、警報器１からの出力を６Ｖ／１２Ｖとしているが、０Ｖ／６Ｖ／１２Ｖ／１８Ｖの少なくとも２つの電圧レベルを用いることができる。
【００１６】
図４はこの発明の第２の実施の形態を示す概要図、図５は図４で用いられる信号変換器の具体例を示す構成図である。
ここでは、警報器１を信号変換器７を介してパソコン（パーソナルコンピュータ）６と接続している。警報器１は図１の場合と同様、短絡保護回路の動作検知回路ＳＷ１を有し、この回路からの信号を警報器のマイコン制御回路１１が認識する。また、警報器１とパソコン６との間に接続される信号変換器７は図５のように、警報器１からの有電圧出力の電圧検知回路７１、およびこの電圧検知回路７１に並列に接続されたスイッチ（接点回路）ＳＷ４等を備え、警報器１とパソコン６間で信号のやりとりを可能にしている。
【００１７】
７２は接点信号変換回路、７３はパソコン信号変換回路で、パソコン６からの信号は接点信号変換回路７２で１／０信号に変換されて入力されるので、この入力信号により警報器に内蔵されたメモリ（外部記憶としての不揮発メモリ，マイコンのＲＡＭ等）の読み出し指令を与えれば、警報器１からパソコン６に対して有電圧出力の６Ｖ／１２Ｖのパルス電圧がパソコン信号変換回路７３を経て与えられるので、パソコン６はその場で警報器の状態，警報したときのガス漏れ，不完全燃焼，火災の検出センサの情報から現在のセンサの状況，警報器の通電時間等の様々な情報を読み取ることができる。よって、警報器利用者から「警報器が動作した」等の情報が寄せられたとき、警報器設置現場で警報器の現在の状態や警報したときの状態を知ることが可能となり、警報器が誤動作したのか、実際にガス漏れしたのか等を容易に確認することができる。
【００１８】
図６はこの発明の第３の実施の形態を示す概要図である。
これは、警報器１をアダプタ９を介してパソコン６と接続する例である。このアダプタ９には警報器のＬＥＤ（発光ダイオード）信号の消灯／点灯を読み取るフォトトランジスタからなる出力部分（読取手段）と、警報器１に内蔵のリードスイッチ（図２のＳＷ３参照）に信号を入力する入力部分（操作手段）とから構成されている。
【００１９】
従って、リードスイッチＳＷ３に対して磁気を用いてパルス信号を入力し、警報器１に１／０を認識させることにより情報読み出しのための指令を与え、警報器に内蔵されたメモリ（不揮発メモリ，ＲＡＭ等）のデータをＬＥＤの点灯／消灯で信号出力し、アダプタ９は内部のフォトトランジスタによりＬＥＤからの光を検知することで、パソコン６はこの信号を読み取って警報器からの情報を得ることができる。その結果、警報器利用者から「警報器が動作した」等の情報が寄せられたとき、警報器設置現場で警報器の現在の状態や警報したときの状態を知ることが可能となり、警報器が誤動作したのか、実際にガス漏れしたのか等を容易に確認することができる。
【００２０】
【発明の効果】
この発明によれば、警報器と外部接続機器との間で双方向の通信を可能にしたので、従来の機器やシステムを大幅に改変することなく、より高度で安全，便利な警報器および警報器システムを提供でき、警報器設置現場で警報器が誤動作したのか実際にガス漏れしたのかを、容易に区別することが可能となるなどの利点がもたらされる。
【図面の簡単な説明】
【図１】この発明の第１の実施の形態を示すシステム構成図である。
【図２】図１で用いられる複合型警報器を示す要部構成図である。
【図３】図１の動作を説明するための波形図である。
【図４】この発明の第２の実施の形態を示すシステム構成図である。
【図５】図４で用いられる信号変換器の具体例である。
【図６】この発明の第３の実施の形態を示すシステム構成図である。
【符号の説明】
１…複合型警報器、２…住宅情報盤、３…マイコンメータ、４…電話回線、５…センター、６…パソコン、７…信号変換器、７１…電圧検知回路、７２…接点信号変換回路、７３…パソコン信号変換回路、８…外部出力端子、９…アダプタ、１１…マイコン制御回路、ＳＷ…電圧切換スイッチ、ＳＷ１…短絡検知回路、ＳＷ２〜ＳＷ４…接点回路（スイッチ）。
【図１】
0003838412.tif 000002
【図２】
0003838412.tif 000003
【図３】
0003838412.tif 000004
【図４】
0003838412.tif 000005
【図５】
0003838412.tif 000006
【図６】
0003838412.tif 000007